(57)【特許請求の範囲】
【請求項１】
固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器であって、
前記衝撃吸収部材は、可撓性を有する材料からなる一体成形品であって、受皿部材を収納する受皿収納部と、この受皿収納部の周囲に空間を設けて配置される固定枠部と、この固定枠部と受皿収納部とを連結する掛渡し部からなり、
当該掛渡し部は、一端が固定枠部の上端に連結されて円弧状に突出するとともにその他端が受皿収納部の上端に連結されることで、当該受皿収納部を吊り下げ保持するものであり、
前記容器本体の周壁に、一体に又は別体に吊下げ保持される筒壁及び底壁を有しその内側に前記衝撃吸収部材を収納する凹所が形成された吊下げ部材を設け、
当該吊下げ部材に、前記衝撃吸収部材の固定枠部を固定したことを特徴とするコンパクト容器。
【請求項２】
請求項１において、前記掛渡し部は、受皿収納部及び固定枠部よりも薄肉に形成されたものであることを特徴とするコンパクト容器。
【請求項３】
請求項１又は２において、前記固定枠部及び前記吊下げ部材にそれぞれ、凸部及び凸部又は凹部及び凸部からなる固定手段を設けたことを特徴とするコンパクト容器。
【発明の詳細な説明】
【技術分野】
【０００１】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器に関するものである。
【背景技術】
【０００２】
コンパクト容器は化粧料容器に用いられることが一般的であるが、受皿部材に固定される固形化粧料は、簡単に塗布できるように崩れ易くできている。このため、従来から、受皿部材と容器本体との間に衝撃吸収部材を配置したものが既知である。こうした衝撃吸収部材としては、容器本体の凹所底面と受皿部材の底部との間に空洞を形成するように中空凸状に形作られたクッション部を有し、受皿部材の側壁をフランジ部で保持して当該側壁との間に隙間を形成するものがある（例えば、特許文献１参照）。
【先行技術文献】
【特許文献】
【０００３】
【特許文献１】特開２０１０−１７８８９８号公報
【発明の概要】
【発明が解決しようとする課題】
【０００４】
しかしながら、上述したクッション部は、容器本体の凹所底面と受皿部材の底部との間に空洞を形成するにすぎないため、コンパクト容器が落下等によって強い衝撃を受けることで空洞が潰れることがある。このため、従来のコンパクト容器は結果的として、固形化粧料に亀裂や欠けを生じさせることがあった。
【０００５】
本発明の目的とするところは、受皿部材が受ける衝撃を効果的に吸収することで、受皿部材に固定された固体物に亀裂や欠けを生じさせない新規なコンパクト容器を提供することにある。
【課題を解決するための手段】
【０００６】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器であって、
前記衝撃吸収部材は、可撓性を有する材料からなる一体成形品であって、
受皿部材を収納する受皿収納部と、この受皿収納部の周囲に空間を設けて配置される固定枠部と、この固定枠部と受皿収納部とを連結する円弧状に突出する掛渡し部からなり、
当該掛渡し部は、一端が固定枠部の上端に連結されて円弧状に突出するとともにその他端が受皿収納部の上端に連結されることで、当該受皿収納部を吊り下げ保持するものであり、
前記容器本体の周壁に、一体に又は別体に吊下げ保持される筒壁及び底壁を有しその内側に前記衝撃吸収部材を収納する凹所が形成された吊下げ部材を設け、
当該吊下げ部材に、前記衝撃吸収部材の固定枠部を固定したることを特徴とするものである。
【０００７】
掛渡し部は、受皿収納部及び固定枠部よりも薄肉に形成されたものとすることができる。
【０００８】
本発明では、前記衝撃吸収部材及び前記吊下げ部材にそれぞれ、凸部及び凸部又は凹部及び凸部からなる固定手段を設けることができる。
【発明の効果】
【００１０】
本発明では、受皿収納部の周囲に空間を設けて配置された固定枠部が掛渡し部を介して吊り下げ保持されていることで、受皿収納部の底壁を容器本体等に接触させることなく配置することができる。
【００１１】
即ち、受皿部材は、衝撃吸収部材によって凹所の上端開口は勿論、その内側面及び底面に対しても離間した状態に支持される。このため、容器本体からの衝撃は、衝撃吸収部材の掛渡し部を通して伝わるので、クッションのように空洞が潰れて受皿収納部が凹所の底面に接触することにより、受皿部材が容器本体からの衝撃を直接受けることがない。
【００１２】
しかも、掛渡し部は、一端が固定枠部の上端に連結されて円弧状に突出するとともにその他端が受皿収納部の上端に連結されることで、当該受皿収納部を吊り下げ保持することから、容器本体が前後左右上下のいずれから衝撃を受けても、その衝撃は掛渡し部を形作る円弧形状によって吸収し又は分散させることができる。このため、受皿部材が掛渡し部を通して受ける衝撃も小さく抑えることができる。
【００１３】
従って、本発明によれば、受皿部材が受ける衝撃を効果的に吸収することで、受皿部材に固定された固体物に亀裂や欠けを生じさせない新規なコンパクト容器を提供することができる。
【図面の簡単な説明】
【００１４】
【図１】本発明の第１の形態である、化粧用コンパクト容器の前後方向を示す縦断面図である。
【図２】同形態に係る、化粧用コンパクト容器の左右方向を示す縦断面図及びその拡大断面図である。
【図３】図１の拡大断面図である。
【図４】本発明の第２の形態である、化粧用コンパクト容器の横方側を示す拡大縦断面図である。
【図５】化粧用コンパクト容器の横方側を示す拡大縦断面図である。
【発明を実施するための形態】
【００１５】
以下、図面を参照して、本発明の一形態である、化粧用コンパクト容器を詳細に説明する。
【００１６】
図１は、本発明の第１の形態である、化粧用コンパクト容器１０である。符号１１は、受皿部材である。受皿部材１１は、横断面が円形の周壁１１ａの下端に底壁１１ｂを一体に設け、その内側に、固体物たる固形化粧料Ｓを固定保持する。
【００１７】
符号１２は、容器本体である。容器本体１２は、横断面が円形の周壁１２ａの下端に底壁１２ｂを一体に設け、その内側には、受皿部材１１を収納する凹所Ｃ１が形成されている。凹所Ｃ１は、周壁１２ａの内周面１２ｆ1から内側に膨出する複数の膨出部１２ｃで形成されている。膨出部１２ｃは、内周面１２ｆ1に沿って、その周方向に間隔を置いて配置されている。
【００１８】
また図１中、符号１３は、凹所Ｃ１の上端開口を開閉可能な蓋体である。蓋体１３は、容器本体１２に対してピンＰを介して連結されている。蓋体１３は、外蓋体１３ａと内蓋体１３ｂからなる。内蓋体１３ｂの内側には鏡１９が固定されている。
【００１９】
符号１４は、容器本体１２に別体として設けられた吊下げ部材である。吊下げ部材１４は、図１及び２に示すように、前方及び左右にそれぞれ張り出し部１４ａ1，１４ａ2を有する。張り出し部１４ａ1，１４ａ2は、容器本体１２の上端１２ｅに接触する。特に、左右方向においては、図２の拡大断面図に示すように、張り出し部１４ａ2と容器本体１２の上端１２ｅとの合せ面にはそれぞれ、互いに嵌合する凹部１４ｎ及び凸部１２ｐが設けられている。また、吊下げ部材１４の後方にも、図１に示すように、張り出し部１４ａ3が設けられている。張り出し部１４ａ3も、同図に示すように、容器本体１２の上端１２ｅに接触する。吊下げ部材１４は、容器本体１２に対して固定される。
【００２０】
張り出し部１４ａ1〜１４ａ3の内側には、横断面が円形の筒壁１４ｂが一体に設けられている。筒壁１４ｂの下端には底壁１４ｃを設け、その内側に、受皿部材１１とともに後述する衝撃吸収部材Ｍを収納する凹所Ｃ２が形成されている。
【００２１】
衝撃吸収部材Ｍは、可撓性を有する材料からなる一体成形品である。可撓性を有する材料としては、例えば、エラストマやゴムが挙げられる。
【００２２】
衝撃吸収部材Ｍは、図３に示すように、受皿部材１１を収納する受皿収納部１５を有する。受皿収納部１５は、横断面が円形の周壁１５ａを有する。周壁１５ａの下端には底壁１５ｂを設け、その内側に、受皿部材１１を収納する。受皿部材１１は、接着や嵌合等の固定手段を用いることで、受皿収納部１５に固定されている。なお、受皿部材１１は、受皿収納部１５から取り外すこともできる。
【００２３】
受皿収納部１５の外側には、この受皿収納部１５の周囲に空間を設けて横断面が円形の固定枠部１６が配置されている。固定枠部１６は、吊下げ部材１４の底壁１４ｃの底面１４ｆ3に接地する周壁１６ａを有する。周壁１６ａは、受皿収納部１５の周壁１５ａを取り囲むように、当該周壁１５ａを全周に亘って間隔（空間）Ｌを置いて配置されている。
【００２４】
受皿収納部１５及び固定枠部１６は、これらの相互間が全周に亘って、掛渡し部１７によって一体に連結されている。掛渡し部１７は、同図に示すように、一端が固定枠部１６の上端に連結されて円弧状に突出するとともにその他端が受皿収納部１５の上端に連結されている。
【００２５】
更に詳細には、掛渡し部１７は、固定枠部１６の上端から内側上方に向かって湾曲しながら突出する外側部分１７ａと、この外側部分１７ａから内側下方に向かって湾曲しながら下降する内側部分１７ｂとを有し、この内側部分１７ｂと外側部分１７ａとの連結部分を湾曲した頂点部分１７ｃとすることで、上方に向かって円弧状（アーチ状）に突出する湾曲部としてなる。
【００２６】
掛渡し部１７は、受皿収納部１５と固定枠部１６との間を全周に亘って周回する環状の薄肉部分として形成されている。これにより、掛渡し部１７は、同図に示すように、受皿収納部１５を吊下げ部材１４の凹所底面１４ｆ3よりも上方に空間を設けて吊り下げ保持する。
【００２７】
本形態では、受皿収納部１５が掛渡し部１７を介して固定枠部１６に吊り下げ保持されていることで、受皿収納部１５を容器本体１２の凹所底面１２ｆ3は勿論、吊下げ部材１４の凹所底面１４ｆ3にも接触させることなく配置することができる。
【００２８】
即ち、受皿部材１１は、衝撃吸収部材Ｍによって吊下げ部材１４の上端開口は勿論、その内側面及び底面に対しても離間した状態に支持される。このため、容器本体１２からの衝撃は、吊下げ部材１４から掛渡し部１７を通して伝わるので、クッションのように空洞が潰れて受皿収納部１５が凹所底面１４ｆ3に接触することにより、受皿部材１１が容器本体１２からの衝撃を直接受けることがない。
【００２９】
しかも、掛渡し部１７は、一端が固定枠部１６の上端に連結されて円弧状に突出するとともにその他端が受皿収納部１５の上端に連結されることで、この受皿収納部１５を吊下げ部材１４の凹所底面１４ｆ3よりも上方に空間を設けて吊り下げ保持することから、容器本体１２が前後左右上下のいずれから衝撃を受けても、その衝撃は掛渡し部１７を形作る円弧形状によって吸収し又は分散させることができる。このため、受皿部材１１が掛渡し部１７を通して受ける衝撃も小さく抑えることができる。
【００３０】
従って、本形態によれば、受皿部材１１が受ける衝撃を効果的に吸収することで、受皿部材１１に固定された固形化粧料Ｓに亀裂や欠けを生じさせない新規なコンパクト容器を提供することができる。
【００３１】
また、本形態では、掛渡し部１７は、図３に示すように、受皿収納部１５及び固定枠部１６よりも薄肉に形成されている。これにより、掛渡し部１７の動きの自由度を固めることで、受皿部材１１が受ける衝撃を更に効果的に吸収することができる。
【００３２】
ところで、本形態において、衝撃吸収部材Ｍの固定枠部１６には、突起１６ｐが一体に設けられている。突起１６ｐは、平坦な上端面１６ｆ4を有する。一方、吊下げ部材１４の筒壁１４ｂにも、突起１４ｐが一体に設けられている。突起１４ｐも、平坦な下端面１４ｆ4を有する。突起１４ｐの下端面１４ｆ4は、凹所底面１４ｆ3からの高さが周壁１６ａの下端から突起１６ｐの上端面１６ｆ4までの高さよりも低い位置にある。このため、突起１６ｐは、突起１４ｐに対して周壁１６ａを圧縮した状態で引っ掛かって係止されることで、衝撃吸収部材Ｍが吊下げ部材１４から抜けることを防止する。即ち、突起１６ｐと突起１４ｐは、衝撃吸収部材Ｍの固定手段として機能する。
【００３３】
こうした固定手段を設ければ、衝撃吸収部材Ｍは、吊下げ部材１４に対して強固に固定されることで、受皿部材１１が受ける衝撃を更に効果的に吸収することができる。なお、固定手段は、衝撃吸収部材Ｍの突起１６ｐと吊下げ部材１４の突起１４ｐのいずれか一方を凹部としたものとすることもできる。
【００３４】
また、本形態では、図１や図３に示すように、容器本体１２の底壁１２ｂ及び吊下げ部材１４の底壁１４ｃにそれぞれ、貫通孔Ａ１及びＡ２が形成されている。貫通孔Ａ１及びＡ２には、棒材を挿入することができる。棒材で受皿部材１１を押圧すれば、突起１６ｐが弾性変形することにより、吊下げ部材１４から衝撃吸収部材Ｍごと、受皿部材１１を取り外すことができる。或いは、衝撃吸収部材Ｍの突起１６ｐを吊下げ部材１４の突起１４ｐに係止させて衝撃吸収部材Ｍを固定したまま、受皿部材１１のみを取り外すこともできる。これにより、本形態に係る、コンパクト容器１０は、少なくとも受皿部材１１を着脱させることによって、新たな化粧料を収納した受皿部材を付替えるレフィル容器として機能する。
【００３５】
特に容器本体１２に形成した貫通孔Ａ１は、容器本体１２と蓋体１３との間に外気を導入するため、容器本体１２と蓋体１３との間が密閉された場合に、その負圧によって生じる衝撃吸収部材Ｍの機能低下を防止するのに有効である。
【００３６】
また、筒壁１４ｂは、図示のように、その内側にパフ等の化粧道具Ｔを収納するための空間を形成する。また、吊下げ部材１４の筒壁１４ｂには、図１に示すように、蓋体１３に設けたフック１３ｆに引っ掛かって蓋体１３の開放を阻止するフック１４ｆとともに、これらフック１３ｆ及び１４ｆの引っ掛かりを、その押し込みにより解除するフックピース１８を設けることができる。
【００３７】
ところで、本形態では、衝撃吸収部材Ｍは、吊下げ部材１４に固定されているところから、容器本体１２からの衝撃は、吊下げ部材１４によっても吸収させることができる。このため、本形態では、容器本体１２からの衝撃は、吊下げ部材１４によって吸収又は分散されたのち、更に、衝撃吸収部材Ｍによって吸収されるため、受皿部材が受ける衝撃を効果的に吸収させることができる。特に、吊下げ部材１４を変形及び復元の可能な可撓性を有する材料で構成すれば、衝撃の吸収を更に効果的に行うことができる。
【００３８】
また、吊下げ部材１４は、容器本体１２と一体に形成することも可能である。図４は、本発明の第２の形態である、コンパクト容器２０である。図中、第１の形態と同一部分は同一符号をもって、その説明を省略する。
【００３９】
コンパクト容器２０は、吊下げ部材１４を容器本体１２と一体に形成したものである。本形態では、容器本体１２の周壁１２ａの上端から環状の連結部１２ｄを介して吊下げ部材１４が一体に設けられている。このため、本形態では、吊下げ部材１４の底壁１４ｃは、容器本体１２の底壁１２ｂとして機能する。
【００４０】
なお、本形態では、蓋体１３は、外蓋体１３ａと内蓋体１３ｂの二層構造とすることなく、単層構造とすることで、コンパクト容器の薄肉化を図っている。また、本形態も、第１の形態と同様、固定枠部１６及び吊下げ部材１４の周壁１４ａにそれぞれ、凸部１６ｐ及び凸部１４ｐからなる固定手段が設けられている。
【００４１】
また、衝撃吸収部材Ｍは、容器本体１２の周壁１２ａに直接固定することも可能である。図５は、コンパクト容器３０である。図中、他の形態と同一部分は同一符号をもって、その説明を省略する。
【００４２】
コンパクト容器３０は、凹所Ｃ１を膨出部１２ｃを省略することで形作り、衝撃吸収部材Ｍを容器本体１２の周壁１２ａに直接固定したものである。本形態では、衝撃吸収部材Ｍは、容器本体１２の凹所底面１２ｆ3よりも上方に空間を設けて配置されている。本形態でも、他の形態と同様、固定枠部１６及び容器本体１２の周壁１２ａにそれぞれ、凸部１６ｐ及び凸部１４ｐからなる固定手段が設けられている。
【００４３】
上述したところは、本発明の一形態を示したにすぎず、特許請求の範囲において、種々の変更を加えることができる。例えば、衝撃吸収部材Ｍの平面形状は、円形だけでなく、矩形など、受皿部材１１の平面形状に応じて適宜変更することができる。また、蓋体１３は、例えば、ピンＰにねじりばねを設けることで、フックピース１８を操作してフックを解除したのちは、自動的に開くように構成することができる。
【産業上の利用可能性】
【００４４】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されるコンパクト容器であれば、様々なものに適用することができる。
【符号の説明】
【００４５】
１０    コンパクト容器
１１    受皿部材
１１ａ  周壁
１１ｂ  底壁
１２    容器本体
１２ａ  周壁
１２ｂ  底壁
１２ｃ  膨出部
１２ｆ1 容器本体周壁内周面
１２ｆ2 膨出部内側面
１２ｆ3 凹所底面
１３    蓋体
１３ｆ  フック
１４    吊下げ部材
１４ａ1 張り出し部
１４ａ2 張り出し部
１４ａ3 張り出し部
１４ｂ  筒壁
１４ｆ  フック
１４ｎ  凹部
１４ｐ  凸部（固定手段）
１５    受皿収納部
１５ａ  周壁
１５ｂ  底壁
１６    固定枠部
１６ａ  周壁
１６ｂ  底壁
１６ｐ  凸部（固定手段）
１７    掛渡し部
１７ａ  外側部分
１７ｂ  内側部分
１７ｃ  頂点部分
１８    フックピース
１９    鏡
Ａ１    貫通孔（容器本体）
Ａ２    貫通孔（受皿収納部）
Ｍ      衝撃吸収部材
【図１】
0005826651.tif 000002
【図２】
0005826651.tif 000003
【図３】
0005826651.tif 000004
【図４】
0005826651.tif 000005
【図５】
0005826651.tif 000006